(57)【要約】  表示画面に対象画像を表示しているときに、表示領域の隅部分をタッチするタッチパネル操作又は指を表示領域の隅から中央に向かってスライドさせるタッチパネル操作があったとき、対象画像の裏面がめくれあがったかのような印象を与える関連情報画像を生成して該隅部分に表示し、関連情報画像内に対象画像の関連情報（撮影パラメータ情報など）を示す。
2013145993.tif 000002
【特許請求の範囲】
【請求項１】
撮影によって対象画像を取得する撮像装置としての、又は、前記対象画像の提供を受ける機器としての電子機器であって、
表示部と、
前記対象画像に関連する関連情報を取得する関連情報制御部と、
所定操作の入力を受ける操作入力部と、を備え、
前記表示部は、特定表示領域に前記対象画像を表示しているときに前記所定操作が前記操作入力部に入力されたとき、前記特定表示領域内の部分表示領域において前記対象画像の部分画像の代わりに前記関連情報を表示し、
前記部分表示領域は、第１の点、第２の点及び第３の点を結んで形成される第１図形内の表示領域と、前記第２の点、前記第３の点及び第４の点を結んで形成される第２図形内の表示領域とから成り、前記第１図形内の表示領域に前記関連情報が示される
ことを特徴とする電子機器。
【請求項２】
前記第１〜第４の点の内、前記第１の点が前記特定表示領域の中心に最も近く、
前記特定表示領域は、互いに隣接する第１及び第２の辺を含む矩形領域であり、
前記第２及び第３の点は夫々前記第１及び第２の辺上に位置し、
前記第４の点は、前記第１及び第２の辺の接合点である、前記特定表示領域の隅に位置する
ことを特徴とする請求項１に記載の電子機器。
【請求項３】
前記特定表示領域に前記対象画像が表示されているときに前記所定操作としての第１所定操作が前記操作入力部に入力されたとき、前記表示部は、前記部分表示領域としての第１部分表示領域において前記部分画像としての第１部分画像の代わりに前記関連情報としての第１関連情報を表示し、一方において、
前記特定表示領域に前記対象画像が表示されているときに第２所定操作が前記操作入力部に入力されたとき、前記表示部は、前記特定表示領域内の第２部分表示領域において前記対象画像の第２部分画像の代わりに第２関連情報を表示し、
前記第２関連情報は、前記第１関連情報と異なる、前記対象画像に関連する情報であって、前記関連情報制御部にて取得される
ことを特徴とする請求項１又は請求項２に記載の電子機器。
【請求項４】
前記第１関連情報は、前記対象画像の撮影条件に関する情報を含み、
前記第２関連情報は、前記撮影条件に関する情報以外の情報を含む
ことを特徴とする請求項３に記載の電子機器。
【請求項５】
前記操作入力部は、追加情報の入力も受け付け可能であり、
前記追加情報が前記操作入力部を介して当該電子機器に入力されたとき、前記関連情報制御部は前記第２関連情報に前記追加情報を追加する
ことを特徴とする請求項４に記載の電子機器。
【請求項６】
前記第２所定操作は、前記表示部の表示画面上の位置の指定を含み、
前記特定表示領域に前記対象画像が表示されているときに前記第２所定操作が前記操作入力部に入力されたとき、前記表示部は、指定位置に対応する表示領域としての前記第２部分表示領域に前記第２関連情報を表示し、
前記追加情報の入力を受ける際、入力された前記追加情報が前記表示部に表示され、前記関連情報制御部は、前記追加情報の表示位置を前記追加情報に対応付けて保持し、
前記追加情報の入力後、前記特定表示領域に前記対象画像が表示されているときに保持位置に対応する位置を指定した上で前記第２所定操作が前記操作入力部に入力されたとき、前記表示部は前記追加情報を表示する
ことを特徴とする請求項５に記載の電子機器。
【請求項７】
前記第２所定操作は、前記表示部の表示画面上の位置の指定を含み、
前記特定表示領域に前記対象画像が表示されているときに前記第２所定操作が前記操作入力部に入力されたとき、前記表示部は、指定位置に対応する表示領域としての前記第２部分表示領域に前記第２関連情報を表示し、
前記追加情報の入力を受ける際、入力された前記追加情報が前記表示部に表示され、
前記追加情報の入力後、前記特定表示領域に前記対象画像が表示されているときに前記第２所定操作が前記操作入力部に入力されたとき、前記表示部は、前記追加情報の入力を受けたときの前記追加情報の表示位置に依存せず、前記追加情報を含む前記第２関連情報を前記第２部分表示領域に表示する
ことを特徴とする請求項５に記載の電子機器。
【請求項８】
前記表示部は、前記操作入力部として機能するタッチパネルを備え、
前記第１所定操作は、前記第１部分表示領域と操作体との接触を含む操作であり、
前記第２所定操作は、前記第２部分表示領域と前記操作体との接触を含む操作である
ことを特徴とする請求項３〜請求項７の何れかに記載の電子機器。
【請求項９】
前記操作入力部は、追加情報の入力も受け付け可能であり、
前記追加情報が前記操作入力部を介して当該電子機器に入力されたとき、前記関連情報制御部は前記関連情報に前記追加情報を追加する
ことを特徴とする請求項１又は請求項２に記載の電子機器。
【請求項１０】
前記所定操作は、前記表示部の表示画面上の位置の指定を含み、
前記特定表示領域に前記対象画像が表示されているときに前記所定操作が前記操作入力部に入力されたとき、前記表示部は、指定位置に対応する表示領域としての前記部分表示領域に前記関連情報を表示し、
前記追加情報の入力を受ける際、入力された前記追加情報が前記表示部に表示され、前記関連情報制御部は、前記追加情報の表示位置を前記追加情報に対応付けて保持し、
前記追加情報の入力後、前記特定表示領域に前記対象画像が表示されているときに保持位置に対応する位置を指定した上で前記所定操作が前記操作入力部に入力されたとき、前記表示部は前記追加情報を表示する
ことを特徴とする請求項９に記載の電子機器。
【請求項１１】
前記所定操作は、前記表示部の表示画面上の位置の指定を含み、
前記特定表示領域に前記対象画像が表示されているときに前記所定操作が前記操作入力部に入力されたとき、前記表示部は、指定位置に対応する表示領域としての前記部分表示領域に前記関連情報を表示し、
前記追加情報の入力を受ける際、入力された前記追加情報が前記表示部に表示され、
前記追加情報の入力後、前記特定表示領域に前記対象画像が表示されているときに前記所定操作が前記操作入力部に入力されたとき、前記表示部は、前記追加情報の入力を受けたときの前記追加情報の表示位置に依存せず、前記追加情報を含む前記関連情報を前記部分表示領域に表示する
ことを特徴とする請求項９に記載の電子機器。
【請求項１２】
前記関連情報は、前記対象画像の撮影条件に関する情報を含む
ことを特徴とする請求項１〜請求項３の何れかに記載の電子機器。
【請求項１３】
撮影によって得られた対象画像を表示可能な表示部、及び、所定操作の入力を受ける操作入力部を備えた電子機器に用いられる表示方法であって、
前記対象画像に関連する関連情報を取得する関連情報取得ステップと、
前記表示部の特定表示領域に前記対象画像を表示しているときに前記所定操作が前記操作入力部に入力されたとき、前記特定表示領域内の部分表示領域において前記対象画像の部分画像の代わりに前記関連情報を表示する表示ステップと、を有し、
前記部分表示領域は、第１の点、第２の点及び第３の点を結んで形成される第１図形内の表示領域と、前記第２の点、前記第３の点及び第４の点を結んで形成される第２図形内の表示領域とから成り、前記第１図形内の表示領域に前記関連情報が示される
ことを特徴とする関連情報表示方法。
【請求項１４】
請求項１３に記載の関連情報表示方法をコンピュータに実現させるプログラム。
【発明の詳細な説明】
【技術分野】
【０００１】
本発明は、撮像装置、携帯電話機などの電子機器、関連情報表示方法及びプログラムに関する。
【背景技術】
【０００２】
表示部を備えた撮像装置において又は撮像装置から撮影画像の提供を受ける電子機器（携帯電話機など）において、表示対象画像としての撮影画像を閲覧する際、閲覧者は、表示対象画像に関連付けられた情報である関連情報の確認を望むことがある。関連情報は、例えば、ＩＳＯ感度、シャッタスピード、焦点距離、絞り値などを含む撮影パラメータ情報（撮影条件に関する情報）である。近年、携帯電話機などの電子機器にはカメラ機能が備えられていることも多く、通信等を利用して、他の機器で撮影された画像を当該電子機器上で閲覧する機会も多いが、カメラ機能の仕様は様々であるため、閲覧に用いる電子機器のカメラ機能による撮影パラメータと他の機器のカメラ機能による撮影パラメータは相違することもある。この相違は、撮影パラメータ情報の確認を閲覧者に望ませる一因となる。【０００３】
撮影パラメータの第１従来表示方法として、表示対象画像の表示領域を縮小し、これによって空いたスペースに撮影パラメータを表示する方法がある。また、撮影パラメータの第２従来表示方法として、表示対象画像上に撮影パラメータを重畳（オーバーレイ）して表示する方法もある。例えば、或る従来方法では、タッチパネル操作により表示画面上の被写体が指定されたとき、被写体の種類に応じた撮影パラメータを表示対象画像上に重畳表示する（下記特許文献１参照）。
【先行技術文献】
【特許文献】
【０００４】
【特許文献１】特開２０１１−１０２７３号公報
【発明の概要】
【発明が解決しようとする課題】
【０００５】
しかしながら、第１従来表示方法では、表示対象画像の表示サイズが小さくなりすぎる。また、第２従来表示方法のようなオーバーレイを行うと、表示対象画像自身が見にくくなる。尚、撮影パラメータ情報に特に注目して関連情報の従来表示方法を説明したが、関連情報が撮影パラメータ情報以外の情報であるときにも、上述と同様のことが言える。【０００６】
そこで本発明は、画像の関連情報の確認しやすさの向上に寄与する電子機器、関連情報表示方法及びプログラムを提供することを目的とする。
【課題を解決するための手段】
【０００７】
本発明に係る電子機器は、撮影によって対象画像を取得する撮像装置としての、又は、前記対象画像の提供を受ける機器としての電子機器であって、表示部と、前記対象画像に関連する関連情報を取得する関連情報制御部と、所定操作の入力を受ける操作入力部と、を備え、前記表示部は、特定表示領域に前記対象画像を表示しているときに前記所定操作が前記操作入力部に入力されたとき、前記特定表示領域内の部分表示領域において前記対象画像の部分画像の代わりに前記関連情報を表示し、前記部分表示領域は、第１の点、第２の点及び第３の点を結んで形成される第１図形内の表示領域と、前記第２の点、前記第３の点及び第４の点を結んで形成される第２図形内の表示領域とから成り、前記第１図形内の表示領域に前記関連情報が示されることを特徴とする。【０００８】
これにより、実際の写真の裏側を見るかのような視覚的効果が得られ、閲覧者は、関連情報が対象画像に関連する情報であることを直感的に認識することができると共に、容易に関連情報を確認することが可能となる。また、上述のようなオーバーレイが成されないため、対象画像自身が見にくくなることが抑制される。【０００９】
より具体的には例えば、前記第１〜第４の点の内、前記第１の点が前記特定表示領域の中心に最も近く、前記特定表示領域は、互いに隣接する第１及び第２の辺を含む矩形領域であり、前記第２及び第３の点は夫々前記第１及び第２の辺上に位置し、前記第４の点は、前記第１及び第２の辺の接合点である、前記特定表示領域の隅に位置していても良い。【００１０】
また例えば、前記特定表示領域に前記対象画像が表示されているときに前記所定操作としての第１所定操作が前記操作入力部に入力されたとき、前記表示部は、前記部分表示領域としての第１部分表示領域において前記部分画像としての第１部分画像の代わりに前記関連情報としての第１関連情報を表示し、一方において、前記特定表示領域に前記対象画像が表示されているときに第２所定操作が前記操作入力部に入力されたとき、前記表示部は、前記特定表示領域内の第２部分表示領域において前記対象画像の第２部分画像の代わりに第２関連情報を表示しても良い。前記第２関連情報は、例えば、前記第１関連情報と異なる、前記対象画像に関連する情報であって、前記関連情報制御部にて取得される。【００１１】
そして例えば、前記第１関連情報は、前記対象画像の撮影条件に関する情報を含み、前記第２関連情報は、前記撮影条件に関する情報以外の情報を含んでいてもよい。【００１２】
これにより、撮影条件に関する情報とそれ以外の情報を、同時に又は別々に確認することが可能となる。【００１３】
また例えば、前記操作入力部は、追加情報の入力も受け付け可能であり、前記追加情報が前記操作入力部を介して当該電子機器に入力されたとき、前記関連情報制御部は前記第２関連情報に前記追加情報を追加しても良い。【００１４】
これにより、操作者の希望に応じ、追加情報を第２関連情報に含めることが可能となる。【００１５】
この際例えば、前記第２所定操作は、前記表示部の表示画面上の位置の指定を含み、前記特定表示領域に前記対象画像が表示されているときに前記第２所定操作が前記操作入力部に入力されたとき、前記表示部は、指定位置に対応する表示領域としての前記第２部分表示領域に前記第２関連情報を表示し、前記追加情報の入力を受ける際、入力された前記追加情報が前記表示部に表示され、前記関連情報制御部は、前記追加情報の表示位置を前記追加情報に対応付けて保持し、前記追加情報の入力後、前記特定表示領域に前記対象画像が表示されているときに保持位置に対応する位置を指定した上で前記第２所定操作が前記操作入力部に入力されたとき、前記表示部は前記追加情報を表示しても良い。【００１６】
或いは例えば、前記第２所定操作は、前記表示部の表示画面上の位置の指定を含み、前記特定表示領域に前記対象画像が表示されているときに前記第２所定操作が前記操作入力部に入力されたとき、前記表示部は、指定位置に対応する表示領域としての前記第２部分表示領域に前記第２関連情報を表示し、前記追加情報の入力を受ける際、入力された前記追加情報が前記表示部に表示され、前記追加情報の入力後、前記特定表示領域に前記対象画像が表示されているときに前記第２所定操作が前記操作入力部に入力されたとき、前記表示部は、前記追加情報の入力を受けたときの前記追加情報の表示位置に依存せず、前記追加情報を含む前記第２関連情報を前記第２部分表示領域に表示しても良い。【００１７】
また例えば、前記表示部は、前記操作入力部として機能するタッチパネルを備え、前記第１所定操作は、前記第１部分表示領域と操作体との接触を含む操作であり、前記第２所定操作は、前記第２部分表示領域と前記操作体との接触を含む操作であってもよい。【００１８】
また例えば、前記操作入力部は、追加情報の入力も受け付け可能であり、前記追加情報が前記操作入力部を介して当該電子機器に入力されたとき、前記関連情報制御部は前記関連情報に前記追加情報を追加しても良い。【００１９】
これにより、操作者の希望に応じ、追加情報を関連情報に含めることが可能となる。【００２０】
この際例えば、前記所定操作は、前記表示部の表示画面上の位置の指定を含み、前記特定表示領域に前記対象画像が表示されているときに前記所定操作が前記操作入力部に入力されたとき、前記表示部は、指定位置に対応する表示領域としての前記部分表示領域に前記関連情報を表示し、前記追加情報の入力を受ける際、入力された前記追加情報が前記表示部に表示され、前記関連情報制御部は、前記追加情報の表示位置を前記追加情報に対応付けて保持し、前記追加情報の入力後、前記特定表示領域に前記対象画像が表示されているときに保持位置に対応する位置を指定した上で前記所定操作が前記操作入力部に入力されたとき、前記表示部は前記追加情報を表示しても良い。【００２１】
或いは例えば、前記所定操作は、前記表示部の表示画面上の位置の指定を含み、前記特定表示領域に前記対象画像が表示されているときに前記所定操作が前記操作入力部に入力されたとき、前記表示部は、指定位置に対応する表示領域としての前記部分表示領域に前記関連情報を表示し、前記追加情報の入力を受ける際、入力された前記追加情報が前記表示部に表示され、前記追加情報の入力後、前記特定表示領域に前記対象画像が表示されているときに前記所定操作が前記操作入力部に入力されたとき、前記表示部は、前記追加情報の入力を受けたときの前記追加情報の表示位置に依存せず、前記追加情報を含む前記関連情報を前記部分表示領域に表示しても良い。【００２２】
また例えば、前記関連情報は、前記対象画像の撮影条件に関する情報を含んでいても良い。【００２３】
本発明に係る関連情報表示方法は、撮影によって得られた対象画像を表示可能な表示部、及び、所定操作の入力を受ける操作入力部を備えた電子機器に用いられる表示方法であって、前記対象画像に関連する関連情報を取得する関連情報取得ステップと、前記表示部の特定表示領域に前記対象画像を表示しているときに前記所定操作が前記操作入力部に入力されたとき、前記特定表示領域内の部分表示領域において前記対象画像の部分画像の代わりに前記関連情報を表示する表示ステップと、を有し、前記部分表示領域は、第１の点、第２の点及び第３の点を結んで形成される第１図形内の表示領域と、前記第２の点、前記第３の点及び第４の点を結んで形成される第２図形内の表示領域とから成り、前記第１図形内の表示領域に前記関連情報が示されることを特徴とする。【００２４】
そして、上記関連情報表示方法をコンピュータに実現させるプログラムを形成すると良い。
【発明の効果】
【００２５】
本発明によれば、画像の関連情報の確認しやすさの向上に寄与する電子機器、関連情報表示方法及びプログラムを提供することが可能である。
【図面の簡単な説明】
【００２６】
【図１】本発明の第１実施形態に係る撮像装置の概略全体ブロック図である。
【図２】ユーザインターフェースのブロック図である。
【図３】タッチパネルの概略構成図である。
【図４】対象画像の例を示す図である。
【図５】（ａ）及び（ｂ）は、画像ファイルの構造を示す図、撮影パラメータ情報の内容を示す図である。
【図６】特徴的な表示処理に特に関与する部位のブロック図である。
【図７】（ａ）、（ｂ）及び（ｃ）は、表示画面と、特定表示領域と、特定表示領域の中心及び４隅を示す図である。
【図８】表示部における基準表示状態を示す図である。
【図９】基本情報が表示されているときの、表示部の様子を示す図である。
【図１０】（ａ）、（ｂ）及び（ｃ）は、部分表示領域（ＰＲ１）を示す図、部分画像（ＰＩ１）を示す図、部分表示領域（ＰＲ１）の形状を説明するための図である。
【図１１】（ａ）及び（ｂ）は、基本情報画像の第１例及び第２例を示す図である。
【図１２】（ａ）及び（ｂ）は、基本情報を表示させるための操作の第１例及び第２例を示す図である。
【図１３】基本情報の表示情報量が変化する様子を示す図である。
【図１４】メモ情報が表示されているときの、表示部の様子を示す図である。
【図１５】（ａ）、（ｂ）及び（ｃ）は、部分表示領域（ＰＲ２）を示す図、部分画像（ＰＩ２）を示す図、部分表示領域（ＰＲ２）の形状を説明するための図である。
【図１６】（ａ）及び（ｂ）は、メモ情報画像の第１例及び第２例を示す図である。
【図１７】（ａ）及び（ｂ）は、メモ情報を表示させるための操作の第１例及び第２例を示す図である。
【図１８】メモ情報の表示情報量が変化する様子を示す図である。
【図１９】本発明の第２実施形態に係り、表示画面上の複数の領域を示す図である。
【図２０】（ａ）、（ｂ）及び（ｃ）は、本発明の第２実施形態に係るメモ入力用表示状態の第１〜第３例を示す図である。
【図２１】（ａ）及び（ｂ）は、本発明の第２実施形態に係る追加情報入力位置及び追加情報を示す図である。
【図２２】（ａ）及び（ｂ）は、本発明の第２実施形態に係り、メモ情報が表示される様子を示す図である。
【図２３】本発明の第３実施形態に係る電子機器の概略全体ブロック図である。
【発明を実施するための形態】
【００２７】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２８】
＜＜第１実施形態＞＞
本発明の第１実施形態を説明する。図１は、本発明の実施形態に係る撮像装置１の概略全体ブロック図である。撮像装置１は、静止画像及び動画像を撮影及び記録可能なデジタルビデオカメラ、又は、静止画像のみを撮影及び記録可能なデジタルスチルカメラである。撮像装置１は符号１１〜１７によって参照される各部位を備える。
【００２９】
撮像部１１は、撮像素子を用いて、撮影画角内に収まる被写体を撮影することにより、撮影画像である被写体画像の画像信号を得る。撮像部１１は、光学系と、絞りと、ＣＣＤ（Charge  Coupled  Device）又はＣＭＯＳ（Complementary  Metal  Oxide  Semiconductor）イメージセンサなどから成る撮像素子（固体撮像素子）とを備え、撮像素子から被写体画像の画像信号が出力される。画像処理部１２は、撮像素子の出力画像信号に対して所定の画像処理（例えば、デジタル化処理、エッジ強調処理、ノイズ低減処理、デモザイキング処理）を実行することで、撮像素子の出力画像信号に基づく撮影画像の画像データを生成する。
【００３０】
主制御部１３は、ＣＰＵ（Central  Processing  Unit）などから成り、撮像装置１内の各部位の動作を統括的に設御する。内部メモリ１４は、ＳＤＲＡＭ（Synchronous  Dynamic  Random  Access  Memory）等にて形成され、撮像装置１内で生成された各種データを一時的に記憶する。表示部１５は、液晶ディスプレイパネル等の表示画面を有する表示装置であり、主制御部１３の制御の下、撮影画像や記録媒体１６の記録画像を含む任意の画像を表示する。表示部１５はタッチパネル５０を有する。
【００３１】
記録媒体１６は、カード状半導体メモリや磁気ディスク等の不揮発性メモリであり、主制御部１３による制御の下、撮影画像の画像データを含む任意のデータを記録する。尚、本明細書において、データの記録、保持及び保存は互いに同じ意味を持つ。操作部１７は、被写体画像の撮影指示を受けるシャッタボタンを含む押しボタンスイッチ等を備え、外部からの各種操作を受け付ける。シャッタボタンを含む幾つかのボタンは、タッチパネル５０上のボタンであっても良い。操作者は、操作部１７又はタッチパネル５０に所定の操作を施すことで様々な指示を撮像装置１に与えることができる。第１実施形態において、操作者とは撮像装置１の操作者（ユーザ）を指す。図２に示す如く、操作部１７及びタッチパネル５０によって、操作者からの様々な操作及び指示を受けるユーザインターフェース（操作入力部）ＵＩが形成される。但し、操作部１７及びタッチパネル５０の何れか一方を撮像装置１から割愛することも可能である。
【００３２】
図３は、タッチパネル５０の概略分解図である。タッチパネル５０には、液晶ディスプレイパネル等から成る表示画面５１と、操作体が表示画面５１に触れている位置（圧力を加えている位置）を検出するタッチ検出部５２と、が設けられている。操作体は、指やペンなどであるが、以下の説明では、主として操作体が指であることを想定している。タッチ検出部５２は、操作体が表示画面５１に触れている際、その触れている位置（以下、タッチ位置という）を表すタッチ操作情報をリアルタイムで出力する。主制御部１３は、タッチ操作情報に応じた動作が撮像装置１内の各部位にて実行されるように、撮像装置１内の各部位を制御することができる。操作体で表示画面５１を触れる操作をタッチパネル操作とも呼ぶ。
【００３３】
記録媒体１６は、撮影画像の画像データを画像ファイルに格納した状態で記録することができる。図４の対象画像ＴＩは、記録媒体１６に記録される撮影画像の例である。対象画像ＴＩは静止画像又は動画像である。図５（ａ）に１つの画像ファイルＦＬの構造を示す。画像ファイルＦＬは本体領域とヘッダ領域から形成される。画像ファイルＦＬにおいて、本体領域には対象画像ＴＩの画像データが格納され、ヘッダ領域には、対象画像ＴＩに付随する任意の関連情報３００が格納される。画像ファイルＦＬにおいて、本体領域とヘッダ領域は互いに関連付けられているため、対象画像ＴＩ（対象画像ＴＩの画像データ）と関連情報３００も互いに関連付けられる。関連情報３００は、少なくとも基本情報３１０を含み、更にメモ情報３２０を含みうる。
【００３４】
基本情報３１０は、対象画像ＴＩの撮影条件に関する情報である撮影パラメータ情報を含み、図５（ｂ）に示す如く、撮影パラメータ情報には、対象画像ＴＩの撮影日時及び撮影場所や、対象画像ＴＩの撮影時におけるＩＳＯ感度（International  Organization  for  Standardizationによって規定された感度）、絞り値、焦点距離、画角、シャッタスピード及びホワイトバランスなどが含まれる。画像ファイルＦＬのファイル名、対象画像ＴＩのサムネイルの画像データなども、基本情報３１０に含めておくことができる。基本情報３１０は、対象画像ＴＩの画像データを記録媒体１６に記録する際に、併せて記録媒体１６に記録される。
【００３５】
メモ情報３２０は、対象画像ＴＩの撮影条件に関する情報以外の任意の情報を含む。操作者は、ユーザインターフェースＵＩを用いて、任意の情報をメモ情報３２０に含ませることができる。換言すれば、主制御部１３（例えば後述の記録制御部２２；図６参照）は、ユーザインターフェースＵＩを介して入力された任意の情報を、メモ情報３２０としてヘッダ領域に書き込むことができる。メモ情報３２０は、対象画像ＴＩの画像データを記録媒体１６に記録する際に、併せて記録媒体１６に記録されうる。また、対象画像ＴＩの画像データを記録媒体１６に記録した後、任意のタイミングで、操作者は、メモ情報３２０に含められるべき情報をユーザインターフェースＵＩを用いて撮像装置１に入力することができる。
【００３６】
画像ファイルＦＬの記録後、対象画像ＴＩを表示部１５にて再生（即ち表示）させることができ、撮像装置１は、この再生の際に特徴的な表示処理を成すことができる。図６は、この特徴的な表示処理に特に関与する部位のブロック図である。表示部１５の表示内容を制御する表示制御部２１及び記録媒体１６の記録制御を行う記録制御部２２を主制御部１３に設けておくことができ、特殊画像生成部（関連情報画像生成部）２３を主制御部１３又は画像処理部１２に設けておくことができる。尚、画像生成部２３は、表示制御部２１の構成要素であると考えても良い。以下の説明において、表示とは、特に記述無き限り、表示部１５（表示画面５１）における表示を指す。表示制御部２１、記録制御部２２及び画像生成部２３は、記録媒体１６における画像ファイルＦＬ内の任意のデータ及び情報を自由に読み出すことが可能であり、記録制御部２２は、記録媒体１６における画像ファイルＦＬ内に任意のデータ及び情報を自由に書き込むことが可能である。図７（ａ）は表示部１５の外観図である。図７（ａ）を含む、表示部１５の外観が示される各図において、表示部１５の外周に位置する右下がりの斜線群（左上側から右下側へ向かう斜線の集まり）で満たされた部分は、表示部１５の筐体部分を表している。
【００３７】
対象画像ＴＩを表示部１５に表示させる際、表示制御部２１は、表示画面５１の全表示領域内に所定の特定表示領域ＷＲを設定し、対象画像ＴＩを特定表示領域ＷＲの全体を使って表示させることができる。図７（ｂ）において、右上がりの斜線群（左下側から右上側へ向かう斜線の集まり）で満たされた部分が特定表示領域ＷＲを表している。特定表示領域ＷＲは、表示画面５１の全表示領域と一致していても良いし、表示画面５１の全表示領域の一部であっても良いが、ここでは、特定表示領域ＷＲが表示画面５１の全表示領域と一致しているものとする。また、対象画像ＴＩは矩形画像であって、且つ、それに対応して特定表示領域ＷＲは矩形領域であるとする。但し、対象画像ＴＩの外形は矩形以外でも良いし、それに伴って特定表示領域ＷＲの外形も矩形以外でも良い。図７（ｃ）において、点３５０は特定表示領域ＷＲの中心であり、点３５１〜３５４は、特定表示領域ＷＲとしての矩形領域の４隅を表している。表示画面５１を鉛直面と平行にしたとき、表示画面５１に正対する操作者から見て、特定表示領域ＷＲの右下隅、左上隅、左下隅、右上隅が、夫々、点３５１、３５２、３５３、３５４に相当する。
【００３８】
図８に、対象画像ＴＩの全体が特定表示領域ＷＲに表示された状態（以下、基準表示状態と呼ぶ）を示す。
【００３９】
基準表示状態において、操作者がユーザインターフェースＵＩに対し所定の情報表示指示操作ＯＰ１を成したとき（換言すれば、ユーザインターフェースＵＩが情報表示指示操作ＯＰ１の入力を受けたとき）、表示制御部２１は、基本情報３１０を示す基本情報画像を画像生成部２３に生成させ、特定表示領域ＷＲの一部である部分表示領域ＰＲ１において対象画像ＴＩの一部である部分画像ＰＩ１の代わりに基本情報画像を表示させる（図９、図１０（ａ）〜（ｃ）及び図１１（ａ）など参照）。図９は、この表示（基本情報画像の表示）が成されているときの表示部１５の表示状態を示している。
【００４０】
図１０（ａ）において、右上がりの斜線群で満たされた表示領域が部分表示領域ＰＲ１である。図１０（ｂ）において、右上がりの斜線群で満たされた画像部分が部分画像ＰＩ１である。図１０（ａ）及び（ｃ）に示す如く、部分表示領域ＰＲ１は、点４０１〜４０３を結んで形成される主図形４０５内の表示領域と、点４０２〜４０４を結んで形成される副図形４０６内の表示領域とから成る。図７（ｃ）も参照する。点４０１〜４０４の内、点４０１が特定表示領域ＷＲの中心３５０に最も近い。点４０２は、点３５１及び３５４を結ぶ辺（特定表示領域ＷＲとしての矩形領域の一辺）上に位置すると共に、点４０３は、点３５１及び３５３を結ぶ辺（特定表示領域ＷＲとしての矩形領域の他の辺）上に位置し、点４０４は、それらの辺の接合点である、特定表示領域ＷＲの右下隅（３５１）に位置する。主図形４０５において、例えば、点４０１及び４０３間並びに点４０２及び４０３間を直線で接続すると良く、点４０１及び４０２間を曲線で接続すると良い。副図形４０６は、例えば、直角三角形である。
【００４１】
図１１（ａ）の画像４１１は基本情報画像の例である。画像４１１の外形は主図形４０５の外形と一致し、画像４１１内に基本情報３１０の全部又は一部が文字列又は記号として示される。但し、図１１（ｂ）に示す如く、基本情報画像は、画像４１１と画像４１２の合成画像であっても良い。画像４１２の外形は副図形４０６の外形と一致する。画像４１２は、例えば単色で塗りつぶした平坦画像である。操作ＯＰ１が成されたとき、表示制御部２１は、部分表示領域ＰＲ１における主図形４０５内の表示領域に画像４１１を表示させ、部分表示領域ＰＲ１における副図形４０６内の表示領域に画像４１２を表示させる。原則として、画像４１２には基本情報３１０が示されない。但し、表示される情報量を増大させるべく、副図形４０６内の画像４１２にも基本情報３１０の一部を示すようにしても良い（即ち、操作ＯＰ１が成されたとき、部分表示領域ＰＲ１の全体を使って基本情報３１０を表示するようにしても良い）。
【００４２】
図１２（ａ）に示す如く、情報表示指示操作ＯＰ１は、例えば、表示画面５１の所定の表示領域（例えば部分表示領域ＰＲ１）を操作体にて触れるタッチパネル操作ＯＰ１Ａである。或いは、図１２（ｂ）に示す如く、情報表示指示操作ＯＰ１は、操作体及び表示画面５１間の接触を保ったまま、表示画面５１の所定の表示領域（例えば部分表示領域ＰＲ１）内で操作体を所定方向（例えば、点３５１から点３５０に向かう方向成分を含む方向）に移動させるタッチパネル操作ＯＰ１Ｂであっても良い。或いは、操作部１７に設けられた操作部材（キー、ボタン、ダイヤル等）に対する操作が操作ＯＰ１であっても良く、この場合例えば、操作部１７を用いて特定表示領域ＷＲの右下隅近辺（例えば、部分表示領域ＰＲ１内の位置）を指定する操作が操作ＯＰ１であっても良い。
【００４３】
基本情報画像は、対象画像ＴＩの裏面を模した画像として機能する。即ち、基本情報画像は、対象画像ＴＩを表面に配置した二次元平面の仮想裏面を表現している。操作ＯＰ１の入力に応答して、表示制御部２１及び画像生成部２３は、対象画像ＴＩの右下部分が徐々にめくれ上がるかのようなアニメーションを基本情報画像にて表現し且つ部分表示領域ＰＲ１に表示させる。このようなアニメーションにより実際の写真の裏側を見るのと同じような視覚的効果が得られ、操作者は、対象画像ＴＩの裏面のように見える基本情報画像を参照することで、基本情報３１０が対象画像ＴＩに関連付けられた情報であることを直感的に認識しつつ、容易に基本情報３１０を確認することができる。また、対象画像ＴＩ自身に基本情報３１０がオーバーレイされないため、対象画像ＴＩ自身が見にくくなることが回避される。
【００４４】
基本情報画像に示される基本情報３１０は、通常、基本情報３１０の一部である。操作ＯＰ１がタッチパネル操作ＯＰ１Ｂであるとき（図１２（ｂ）参照）、操作体及び表示画面５１間の接触（換言すれば操作体及びタッチパネル５０間の接触）を保ったまま操作体を表示画面５１（タッチパネル５０）上で移動させる距離に応じ、表示制御部２１及び画像生成部２３は、部分表示領域ＰＲ１に表示される基本情報３１０の情報量を変化させても良い。
【００４５】
より具体的には例えば、図１３に示す如く、タッチパネル操作ＯＰ１Ｂにおける上記距離が増大するにつれて、表示制御部２１は部分表示領域ＰＲ１の大きさを増大させ、且つ、画像生成部２３は、基本情報画像の大きさを増大させても良い。基本情報画像の大きさの増大に伴って、画像生成部２３は、基本情報画像に示される基本情報３１０の情報量を増大させると良い。これらの増大を段階的に行うと良く、増大の段階数は２以上であれば幾つでも良い。このような表示処理を行うことにより、本のページをめくるかのような視覚的効果が得られる。
【００４６】
２つの表示段階に注目したとき、以下のような処理が可能である。例えば、タッチパネル操作ＯＰ１Ｂにおける上記距離が第１距離のとき、基本情報画像に示される情報は基本情報３１０の簡易情報であっても良く、タッチパネル操作ＯＰ１Ｂにおける上記距離が第１距離よりも大きな第２距離のとき、基本情報画像に示される情報は基本情報３１０の詳細情報であっても良い。基本情報３１０の簡易情報は、基本情報３１０の一部である。基本情報３１０の詳細情報は、基本情報３１０の一部又は全部であって、且つ、基本情報３１０の簡易情報を包含し、且つ、基本情報３１０の簡易情報よりも情報量が多い。基本情報３１０内の何れの情報を基本情報３１０の簡易情報に含めるか、基本情報３１０内の何れの情報を基本情報３１０の詳細情報に含めるかを予め定めておくことができる。
【００４７】
一方、基準表示状態において、操作者がユーザインターフェースＵＩに対し所定の情報表示指示操作ＯＰ２を成したとき（換言すれば、ユーザインターフェースＵＩが情報表示指示操作ＯＰ２の入力を受けたとき）、表示制御部２１は、メモ情報３２０を示すメモ情報画像を画像生成部２３に生成させ、特定表示領域ＷＲの一部である部分表示領域ＰＲ２において対象画像ＴＩの一部である部分画像ＰＩ２の代わりにメモ情報画像を表示させる（図１４、図１５（ａ）〜（ｃ）及び図１６（ａ）など参照）。図１４は、この表示（メモ情報画像の表示）が成されているときの表示部１５の表示状態を示している。
【００４８】
図１５（ａ）において、右上がりの斜線群で満たされた表示領域が部分表示領域ＰＲ２である。図１５（ｂ）において、右上がりの斜線群で満たされた画像部分が部分画像ＰＩ２である。図１５（ａ）及び（ｃ）に示す如く、部分表示領域ＰＲ２は、点４２１〜４２３を結んで形成される主図形４２５内の表示領域と、点４２２〜４２４を結んで形成される副図形４２６内の表示領域とから成る。図７（ｃ）も参照する。点４２１〜４２４の内、点４２１が特定表示領域ＷＲの中心３５０に最も近い。点４２２は、点３５２及び３５３を結ぶ辺（特定表示領域ＷＲとしての矩形領域の一辺）上に位置すると共に、点４２３は、点３５２及び３５４を結ぶ辺（特定表示領域ＷＲとしての矩形領域の他の辺）上に位置し、点４２４は、それらの辺の接合点である、特定表示領域ＷＲの左上隅（３５２）に位置する。主図形４２５において、例えば、点４２１及び４２３間並びに点４２２及び４２３間を直線で接続すると良く、点４２１及び４２２間を曲線で接続すると良い。副図形４２６は、例えば、直角三角形である。
【００４９】
図１６（ａ）の画像４３１はメモ情報画像の例である。画像４３１の外形は主図形４２５の外形と一致し、画像４３１内にメモ情報３２０の全部又は一部が文字列又は記号として示される。但し、図１６（ｂ）に示す如く、メモ情報画像は、画像４３１と画像４３２の合成画像であっても良い。画像４３２の外形は副図形４２６の外形と一致する。画像４３２は、例えば単色で塗りつぶした平坦画像である。操作ＯＰ２が成されたとき、表示制御部２１は、部分表示領域ＰＲ２における主図形４２５内の表示領域に画像４３１を表示させ、部分表示領域ＰＲ２における副図形４２６内の表示領域に画像４３２を表示させる。原則として、画像４３２にはメモ情報３２０が示されない。但し、表示される情報量を増大させるべく、副図形４２６内の画像４３２にもメモ情報３２０の一部を示すようにしても良い（即ち、操作ＯＰ２が成されたとき、部分表示領域ＰＲ２の全体を使ってメモ情報３２０を表示するようにしても良い）。
【００５０】
図１７（ａ）に示す如く、情報表示指示操作ＯＰ２は、例えば、表示画面５１の所定の表示領域（例えば部分表示領域ＰＲ２）を操作体にて触れるタッチパネル操作ＯＰ２Ａである。或いは、図１７（ｂ）に示す如く、情報表示指示操作ＯＰ２は、操作体及び表示画面５１間の接触を保ったまま、表示画面５１の所定の表示領域（例えば部分表示領域ＰＲ２）内で操作体を所定方向（例えば、点３５２から点３５０に向かう方向成分を含む方向）に移動させるタッチパネル操作ＯＰ２Ｂであっても良い。或いは、操作部１７に設けられた操作部材（キー、ボタン、ダイヤル等）に対する操作が操作ＯＰ２であっても良く、この場合例えば、操作部１７を用いて特定表示領域ＷＲの左上隅近辺（例えば、部分表示領域ＰＲ２内の位置）を指定する操作が操作ＯＰ２であっても良い。
【００５１】
メモ情報画像も、基本情報画像と同様、対象画像ＴＩの裏面を模した画像として機能する。即ち、メモ情報画像は、対象画像ＴＩを表面に配置した二次元平面の仮想裏面を表現している。操作ＯＰ２の入力に応答して、表示制御部２１及び画像生成部２３は、対象画像ＴＩの左上部分が徐々にめくれ上がるかのようなアニメーションをメモ情報画像にて表現し且つ部分表示領域ＰＲ２に表示させる。このようなアニメーションにより実際の写真の裏側を見るのと同じような視覚的効果が得られ、操作者は、対象画像ＴＩの裏面のように見えるメモ情報画像を参照することで、メモ情報３２０が対象画像ＴＩに関連付けられた情報であることを直感的に認識しつつ、容易にメモ情報３２０を確認することができる。また、対象画像ＴＩ自身にメモ情報３２０がオーバーレイされないため、対象画像ＴＩ自身が見にくくなることが回避される。
【００５２】
メモ情報画像に示されるメモ情報３２０は、通常、メモ情報３２０の一部である。操作ＯＰ２がタッチパネル操作ＯＰ２Ｂであるとき（図１７（ｂ）参照）、操作体及び表示画面５１間の接触（換言すれば操作体及びタッチパネル５０間の接触）を保ったまま操作体を表示画面５１（タッチパネル５０）上で移動させる距離に応じ、表示制御部２１及び画像生成部２３は、部分表示領域ＰＲ２に表示されるメモ情報３２０の情報量を変化させても良い。
【００５３】
より具体的には例えば、図１８に示す如く、タッチパネル操作ＯＰ２Ｂにおける上記距離が増大するにつれて、表示制御部２１は部分表示領域ＰＲ２の大きさを増大させ、且つ、画像生成部２３は、メモ情報画像の大きさを増大させても良い。メモ情報画像の大きさの増大に伴って、画像生成部２３は、メモ情報画像に示されるメモ情報３２０の情報量を増大させると良い。これらの増大を段階的に行うと良く、増大の段階数は２以上であれば幾つでも良い。このような表示処理を行うことにより、本のページをめくるかのような視覚的効果が得られる。
【００５４】
２つの表示段階に注目したとき、以下のような処理が可能である。例えば、タッチパネル操作ＯＰ２Ｂにおける上記距離が第１距離のとき、メモ情報画像に示される情報はメモ情報３２０の簡易情報であっても良く、タッチパネル操作ＯＰ２Ｂにおける上記距離が第１距離よりも大きな第２距離のとき、メモ情報画像に示される情報はメモ情報３２０の詳細情報であっても良い。メモ情報３２０の簡易情報は、メモ情報３２０の一部である。メモ情報３２０の詳細情報は、メモ情報３２０の一部又は全部であって、且つ、メモ情報３２０の簡易情報を包含し、且つ、メモ情報３２０の簡易情報よりも情報量が多い。メモ情報３２０内の何れの情報をメモ情報３２０の簡易情報に含めるか、メモ情報３２０内の何れの情報をメモ情報３２０の詳細情報に含めるかを予め定めておくことができる。
【００５５】
尚、上述の説明から明らかなように、操作ＯＰ１及びＯＰ２は互いに異なる操作であり、基本情報３１０及びメモ情報３２０は互いに異なる情報であり、基本情報画像及びメモ情報画像は互いに異なる画像であり、部分表示領域ＰＲ１及びＰＲ２は互いに異なる表示領域であり、部分画像ＰＩ１及びＰＩ２は互いに異なる部分画像である。
【００５６】
ところで、対象画像ＴＩの画像データを含む画像ファイルＦＬが記録媒体１６に記録された後、ユーザインターフェースＵＩは、任意のタイミングにおいて、操作者からのメモ追加操作を受け付け可能である。メモ追加操作は、メモ情報３２０に追加されるべき追加情報を撮像装置１に入力するための操作である。メモ追加操作が受け付けられるタイミングは、メモ情報画像が部分表示領域ＰＲ２に表示されているタイミングであっても良い。
【００５７】
メモ追加操作がユーザインターフェースＵＩに成されたとき（換言すれば、追加情報がユーザインターフェースＵＩを介して撮像装置１に入力されたとき）、記録制御部２２は、画像ファイルＦＬのヘッダ領域におけるメモ情報３２０にメモ追加操作による追加情報を追加し（追加情報がメモ情報３２０に含まれるようにヘッダ領域に追加情報を追記し）、これに伴って、画像生成部２３はメモ情報画像を修正することができる。即ち、メモ追加操作がユーザインターフェースＵＩに成されたとき、画像生成部２３は、メモ情報画像が追加情報を含んだメモ情報３２０を示すように、メモ情報画像を修正することができる。但し、このようなメモ情報画像の修正は成されないこともある。メモ情報３２０の全体情報量によっては、メモ情報３２０に含められた上記追加情報をメモ情報画像に示すことができないこともあるからである。但し、記録媒体１６への画像ファイルＦＬの記録時にヘッダ領域に書き込まれていたメモ情報３２０よりも追加情報が優先的にメモ情報画像に示されるように、画像生成部２３は、メモ情報画像を生成するようにしても良い。
【００５８】
また、上述の例では、特定表示領域ＷＲの右下側領域及び左上側領域に基本情報画像及びメモ情報画像を表示しているが、基本情報画像が表示される領域は、特定表示領域ＷＲの左下側領域、左上側領域又は右上側領域であって良いし、メモ情報画像が表示される領域は、特定表示領域ＷＲの右上側領域、右下側領域又は左下側領域であっても良い。
【００５９】
また、操作ＯＰ１又はＯＰ２に応答して表示が停止される予定の部分画像ＰＩ１又はＰＩ２が重要な画像部分（基本情報３１０又はメモ情報３２０と同時に見たい画像部分）である場合、操作者は、基本情報画像又はメモ情報画像の表示位置を上述したものから変更させることが可能である。例えば、操作者は、部分画像ＰＩ１が重要な画像部分であると考える場合、特定表示領域ＷＲの左下隅近辺をタッチ位置とするタッチパネル操作を成すことができ、この場合、撮像装置１は特定表示領域ＷＲの左下側領域に基本情報画像を表示させるようにしても良い（メモ情報画像についても同様）。
【００６０】
＜＜第２実施形態＞＞
本発明の第２実施形態を説明する。第２実施形態で述べた事項を第１実施形態に適用することができる。
【００６１】
第１実施形態の記載事項からも理解されるが、情報表示指示操作ＯＰ２は表示画面５１上の位置の指定を含んでおり、基準表示状態（図８参照）において操作ＯＰ２がユーザインターフェースＵＩに入力されたとき、表示制御部２１の制御の下、表示部１５は、操作ＯＰ２の指定位置に対応する表示領域にメモ情報画像を表示させる。尚、操作ＯＰ２による指定位置は、大きさを持った位置（従って領域）と考えてよい。第１実施形態では、主として、操作ＯＰ２による指定位置が部分表示領域ＰＲ２に対応することが想定されており、結果、指定位置に対応する部分表示領域ＰＲ２に、部分画像ＰＩ２に代えてメモ情報画像が表示されている（図１４、図１５（ａ）、（ｂ）及び図１６（ｂ）参照）。
【００６２】
この想定と異なり、基準表示状態において操作ＯＰ２がユーザインターフェースＵＩに入力されたとき、操作ＯＰ２による指定位置が図１９の位置５１０であって且つ指定位置５１０が部分表示領域ＰＲ３内の位置であるならば、部分表示領域ＰＲ３に、部分画像ＰＩ３に代えてメモ情報画像が表示される。部分画像ＰＩｉは、対象画像ＴＩの一部であって、基準表示状態において部分表示領域ＰＲｉに表示される画像を指す（ｉは任意の整数）。領域ＰＲ１〜ＰＲ４の夫々は特定表示領域ＷＲ（図７（ｂ）参照）の一部であって、領域ＰＲ１〜ＰＲ４は互いに異なる。領域ＰＲ１〜ＰＲ４は、夫々、特定表示領域ＷＲの右下、左上、右上、左下に位置する。領域ＰＲ１〜ＰＲ４の形状は互いに相違していても良いが、ここでは、表示画面５１の中心を通る表示画面５１の垂直線を対称軸として、領域ＰＲ２及びＰＲ３は互いに線対称の関係を持ち且つ領域ＰＲ１及びＰＲ４は互いに線対称の関係を持つものとする。
【００６３】
以下、第２実施形態では、対象画像ＴＩの画像データを含む画像ファイルＦＬが記録媒体１６に記録された後を想定し、上述のメモ追加操作に関わる技術の例を説明する。
【００６４】
例えば、基準表示状態（図８参照）において、ユーザインターフェースＵＩに所定操作が入力されると、表示制御部２１は、表示部１５の表示状態を、メモ追加操作を受け付けるためのメモ入力用表示状態に変更する。図２０（ａ）に示す如く、メモ入力用表示状態では、例えば、対象画像ＴＩの裏面全体を模した画像（紙の写真の裏のような単一色で塗られた平坦画像など）が表示部１５に表示される。或いは例えば、図２０（ｂ）に示す如く、表示画面５１の全表示領域に互いに異なる表示領域５２１及び５２２を設定し、表示領域５２１に対象画像ＴＩを表示している状態がメモ入力用表示状態であっても良い。図２０（ｂ）の例では、表示領域５２２が追加情報の書き込み及び表示スペースとなる。更に或いは例えば、図２０（ｃ）に示す如く、第１実施形態で述べたように、情報表示指示操作ＯＰ２の入力に応答して対象画像ＴＩを特定表示領域ＷＲ（図７（ｂ）参照）に表示させつつ部分表示領域ＰＲｉにおいて部分画像ＰＩｉの代わりにメモ情報画像を表示させている状態がメモ入力用表示状態であっても良い。
【００６５】
勿論、メモ入力用表示状態における表示画面５１の表示内容はこれらに限定されないが、以下では、説明の具体化のため、メモ追加操作を受け付けるときの表示部１５の表示状態が、図２０（ａ）又は（ｃ）に示すメモ入力用表示状態であると考える。表示制御部２１は、表示部１５の表示状態を、図８の基準表示状態から図２０（ａ）のメモ入力用表示状態へと変更する際、対象画像ＴＩとしての写真が裏返ったようなアニメーションを表示すると良い。
【００６６】
メモ追加操作において、ユーザインターフェースＵＩを介し、操作者は、表示画面５１上における追加情報の入力位置（以下、追加情報入力位置という）を指定することができる。追加情報入力位置は追加情報の表示位置に相当し、メモ追加操作において入力された追加情報は、表制制御部２１の制御の下、追加情報入力位置に表示される。
【００６７】
今、メモ追加操作において、図２１（ａ）の位置５３０が追加情報入力位置に指定された上で、図２１（ｂ）の追加情報５４０が撮像装置１に入力されたとする。尚、操作ＯＰ２における指定位置と同様、追加情報入力位置も大きさを持った位置（従って領域）であると考えられる。表示制御部２１は、追加情報入力位置５３０に、入力された追加情報５４０を表示させる（図２１（ａ）及び（ｂ）参照）。一方、記録制御部２２は、追加情報５４０の入力を受けたときの追加情報５４０の表示位置（即ち追加情報入力位置５３０）を、追加情報５４０に対応付けて、対象画像ＴＩの画像ファイルＦＬのヘッダ領域（図５（ｂ）参照）に書き込む（即ち保持する）。尚、図２１（ａ）では位置５３０を領域と捉えているが、追加情報５４０が表示される表示領域内の点の位置が位置５３０であると考えても良い。
【００６８】
そして、追加情報５４０の入力後、基準表示状態において操作ＯＰ２がユーザインターフェースＵＩに入力されたとき、表示制御部２１は、以下の第１又は第２表示制御を行って良い。
【００６９】
例えば、第１表示制御では、保持された追加情報入力位置５３０が部分表示領域ＰＲ３に内包される場合において、図２２（ａ）に示す如く操作ＯＰ２の指定位置が部分表示領域ＰＲ３に対応するときには追加情報５４０を当該領域ＰＲ３に表示するが、図２２（ｂ）に示す如く操作ＯＰ２の指定位置が部分表示領域ＰＲ３に対応しないときには追加情報５４０を表示しない（図２２（ｂ）では、操作ＯＰ２の指定位置が部分表示領域ＰＲ２に対応している）。
【００７０】
具体的な処理として、第１表示制御に係る表示制御部２１は、追加情報５４０に対応付けて上記ヘッダ領域に書き込まれた表示位置（即ち保持された追加情報入力位置）５３０を参照する。そして、第１表示制御に係る表示制御部２１は、追加情報５４０の入力後における操作ＯＰ２の指定位置が保持位置（保持された追加情報入力位置）５３０と対応している場合には、追加情報５４０を含むメモ情報を操作ＯＰ２の指定位置に表示するが、一方において、追加情報５４０の入力後における操作ＯＰ２の指定位置が保持位置５３０と対応していない場合には、追加情報５４０を含まないメモ情報を操作ＯＰ２の指定位置に表示する（即ち追加情報５４０を表示しない）。例えば、操作ＯＰ２の指定位置と保持位置５３０とが互いに重なる部分を持つとき、或いは、操作ＯＰ２の指定位置と保持位置５３０との距離が所定距離以下であるとき、操作ＯＰ２の指定位置は保持位置５３０と対応していると判断され、操作ＯＰ２の指定位置と保持位置５３０とが互いに重なる部分を持たないとき、或いは、操作ＯＰ２の指定位置と保持位置５３０との距離が所定距離より大きいとき、操作ＯＰ２の指定位置は保持位置５３０と対応していないと判断される。
【００７１】
このように第１表示制御では、保持位置５３０に対応する位置を指定した上で操作ＯＰ２がユーザインターフェースＵＩに入力されたとき、操作ＯＰ２の指定位置に対応する表示領域（保持位置５３０に対応する表示領域）に追加情報５４０を表示する。これにより、あたかも、実際の紙の写真の裏に書き込んだメモ（追加情報５４０）を見るかのような使用感が得られる。
【００７２】
これに対し、第２表示制御が実行される場合、追加情報５４０の入力を受けたときの追加情報５４０の表示位置（即ち追加情報入力位置５３０）に依存せず、表示部２１は、操作ＯＰ２がユーザインターフェースＵＩに入力されたならば、追加情報５４０を含むメモ情報を操作ＯＰ２の指定位置（例えば領域ＰＲ２又はＰＲ３）に表示する。つまり例えば、追加情報入力位置５３０が部分表示領域ＰＲ３に内包される場合において、操作ＯＰ２による指定位置が部分表示領域ＰＲ３に対応していなくても（例えば、操作ＯＰ２による指定位置が領域ＰＲ２に対応しても）、第２表示制御では、操作ＯＰ２の指定位置に対応する領域ＰＲｉに追加情報５４０を表示する。第２表示制御によれば、たとえ操作者が追加情報５４０の入力位置を忘れた場合でも、操作ＯＰ２を行いさえすれば追加情報５４０を見ることができる。第２表示制御を採用する場合、追加情報入力位置５３０をヘッダ領域に書き込む必要は無い。
【００７３】
＜＜第３実施形態＞＞
本発明の第３実施形態を説明する。第３実施形態は、第１及び第２実施形態を基礎する実施形態であり、第３実施形態で特に述べない事項に関しては、矛盾なき限り、第１及び第２実施形態の記載が第３実施形態にも適用される。
【００７４】
第１及び第２実施形態で述べた表示処理を含む各処理を、撮像装置１以外の電子機器にて行うようにしても良い。即ち例えば、図２３に示すような電子機器１０１を形成しても良い。電子機器１０１は、携帯電話機、情報端末装置、パーソナルコンピュータ等である。尚、撮像装置１も電子機器の一種である。第１又は第２実施形態の記載を第３実施形態に適用する際、第１又は第２実施形態の説明文中の“撮像装置１”を、適宜、“電子機器１０１”に読み替えると良い。図２３に示す如く、電子機器１０１に、図１に示すものと同様の、画像処理部１２、主制御部１３、内部メモリ１４、タッチパネル５０を含む表示部１５、記録媒体１６及び操作部１７を設けておくことができる。電子機器１０１における操作部１７及びタッチパネル５０もユーザインターフェースＵＩ（図２参照）を形成する。図６に示される表示制御部２１、記録制御部２２及び特殊画像生成部２３も電子機器１０１に設けておくことができる。尚、電子機器１０１に撮像部１１と同等の撮像部が設けられていても良い。
【００７５】
電子機器１０１は、撮像装置１から対象画像ＴＩの画像データを含む画像ファイルＦＬの提供を受け、撮像装置１にて実現されるものと同じ画像生成及び表示を成すことができる。電子機器１０１は、撮像装置１にて取得された対象画像ＴＩの画像データを含む画像ファイルＦＬを、有線通信又は無線通信を介して、又は、任意のサーバ機器を介して、又は、任意の記録媒体を介して受け取ることができ、受け取った画像ファイルＦＬを電子機器１０１内の記録媒体１６又は内部メモリ１４に保存させることができる。記録媒体１６又は内部メモリ１４をメモリ部と呼んでも良い。
【００７６】
電子機器１０１として機能する携帯電話機などにはカメラ機能が設けられていることが多く、また、通信等を利用して、他の機器で撮影された画像を電子機器１０１上で閲覧する機会も多い。一方、カメラ機能の仕様は様々であるため、電子機器１０１以外の機器（例えば撮像装置１）による撮影画像の撮影パラメータは、電子機器１０１のカメラ機能を用いたときに得られる撮影パラメータと相違することもある。従って、電子機器１０１の操作者（画像閲覧者）は、他の機器（例えば撮像装置１）による撮影画像を電子機器１０１上で閲覧する際、撮影パラメータ情報の確認を望むことも多い。本実施形態に係る基本情報画像の表示は、このような要望に応える有益な技術である。
【００７７】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈４を記す。各注釈に記載した内容は、矛盾なき限り、任意に組み合わせることが可能である。
【００７８】
［注釈１］
図１及び図２３には示されていないが、撮像装置１又は電子機器１０１にマイクロホンから成るマイク部を設けておくことができる。メモ情報３２０又は追加情報に含まれる情報が言葉であるとき、操作者は、その言葉を上記マイク部に吹き込むことで当該言葉をメモ情報３２０又は追加情報に含めることが可能である。より具体的には例えば、マイク部にて収音された言葉の音響信号を公知の音声認識処理にて文字列に変換する音響信号処理部（不図示）を撮像装置１又は電子機器１０１に設けておくことができ、撮像装置１又は電子機器１０１における記録制御部２２は、その文字列を、メモ情報３２０として又はメモ情報３２０に追加されるべき追加情報として、画像ファイルＦＬのヘッダ領域に書き込むことができる。この場合、マイク部は、当該言葉の入力を受ける部位として、ユーザインターフェースＵＩの一部に含められうる。
【００７９】
［注釈２］
対象画像ＴＩの画像データと関連情報３００との関連付け方法は上述したものに限定されない。それらが互いに関連付けられる限り、対象画像ＴＩの画像データと関連情報３００を別々のファイルに保存するようにしても良い。
【００８０】
［注釈３］
本発明に係る電子機器（例えば、撮像装置１又は電子機器１０１）は、対象画像ＴＩに関連付けられた関連情報３００を取得する関連情報制御部（不図示）を備えていると考えてもよい。関連情報制御部は、特殊画像生成部２３（図６参照）を備え、更に主制御部１３の全部又は一部（特に例えば表示制御部２１及び／又は記録制御部２２）を含みうる。関連情報制御部は、画像ファイルＦＬ（図５（ａ）参照）から関連情報３００を取得することができるし、関連情報制御部が関連情報３００の生成及び記録を行うようにしても良い。
【００８１】
［注釈４］
撮像装置１及び電子機器１０１の夫々を、ハードウェア、或いは、ハードウェアとソフトウェアの組み合わせによって構成することができる。ソフトウェアを用いて撮像装置１又は電子機器１０１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【００８２】
特に例えば、ユーザインターフェース（操作入力部）ＵＩへの操作の入力を受け付ける操作入力機能と、関連情報の取得、生成及び修正（メモ情報３２０に対する追加情報の追加を含む）を行う関連情報制御機能と、対象画像ＴＩの表示並びに基本情報画像及びメモ情報画像の表示による基本情報３１０及びメモ情報３２０の表示を表示部１５にて行う表示制御機能とをプログラムとして記述して、該プログラムを主制御部１３に搭載可能なフラッシュメモリ又は記録媒体１６に保存しておき、該プログラムをコンピュータ（例えば、主制御部１３に搭載可能なマイクロコンピュータ）上で実行することによって、それらの機能を実現するようにしても良い。
【符号の説明】
【００８３】
１  撮像装置
１１  撮像部
１３  主制御部
１５  表示部
２１  表示制御部
２２  記録制御部
２３  特殊画像生成部
５０  タッチパネル
５１  表示画面
１０１  電子機器
ＦＬ  画像ファイル
ＵＩ  ユーザインターフェース
【図１】
2013145993.tif 000003
【図２】
2013145993.tif 000004
【図３】
2013145993.tif 000005
【図４】
2013145993.tif 000006
【図５】
2013145993.tif 000007
【図６】
2013145993.tif 000008
【図７】
2013145993.tif 000009
【図１２】
2013145993.tif 000010
【図１７】
2013145993.tif 000011
【図１９】
2013145993.tif 000012
【図２３】
2013145993.tif 000013
【図８】
2013145993.tif 000014
【図９】
2013145993.tif 000015
【図１０】
2013145993.tif 000016
【図１１】
2013145993.tif 000017
【図１３】
2013145993.tif 000018
【図１４】
2013145993.tif 000019
【図１５】
2013145993.tif 000020
【図１６】
2013145993.tif 000021
【図１８】
2013145993.tif 000022
【図２０】
2013145993.tif 000023
【図２１】
2013145993.tif 000024
【図２２】
2013145993.tif 000025
【国際調査報告】
2013145993.tif 000026
2013145993.tif 000027